(57)【要約】【課題】  排紙ジャムの発生時においてもその解除動作を簡単に行うことが可能な圧胴を備えた印刷装置を提供する。【解決手段】  版胴２２と、外周面に凹部２１を有する圧胴２０とを具備し、凹部２１に、用紙Ｐを保持する開閉自在な用紙保持部材２と、用紙保持部材２を開閉自在に支持するベース部材６とを有する印刷装置において、凹部２１の内部であってベース部材６よりも圧胴２０の回転方向下流側の位置に、凹部２１の底部に向けて傾斜する傾斜部材６ｅを設けた。【選択図】  図９
2006124071.tif 000002
【特許請求の範囲】
【請求項１】
版胴と、外周面に凹部を有する圧胴とを具備し、前記圧胴の外周面に保持された用紙を前記版胴に接触させることにより印刷画像を得る印刷装置であって、前記凹部に、前記用紙を保持する開閉自在な用紙保持部材と、前記用紙保持部材を開閉自在に支持するベース部材とを有する印刷装置において、
前記凹部の内部であって前記ベース部材よりも前記圧胴の回転方向下流側の位置に、前記凹部の底部に向けて傾斜する傾斜部材を有することを特徴とする印刷装置。
【請求項２】
請求項１記載の印刷装置において、
前記傾斜部材はその傾斜部が直線状に形成されていることを特徴とする印刷装置。
【請求項３】
請求項１記載の印刷装置において、
前記傾斜部材はその傾斜部が円弧状に形成されていることを特徴とする印刷装置。
【請求項４】
請求項１ないし３の何れか１つに記載の印刷装置において、
前記傾斜部材は前記ベース部材と一体的に形成されていることを特徴とする印刷装置。
【発明の詳細な説明】
【技術分野】
【０００１】
本発明は印刷装置に関し、詳しくは版胴及びこれとほぼ同径の圧胴を備え、版胴と圧胴との間において用紙に画像を転写する印刷装置に関する。
【背景技術】
【０００２】
従来、簡便な印刷方法としてデジタル式感熱孔版印刷が知られている。これは、熱可塑性樹脂フィルムと多孔質支持体とを貼り合わせたマスタに微細な発熱素子が１列に並んだサーマルヘッドを接触させ、この発熱素子に対しパルス的に通電を行いながらマスタをプラテンローラ等の搬送手段で搬送することにより、マスタの熱可塑性樹脂フィルムに画像情報に基づいた穿孔画像を熱溶融穿孔製版した後、この穿孔製版されたマスタを多孔性円筒状の版胴に巻装させ、押圧手段によって用紙を版胴の外周面に押圧させることで、版胴の開孔部及びマスタの穿孔部から滲出したインキを用紙に転移させて印刷画像を得るものである。
【０００３】
押圧手段としては、直径２５〜５０ｍｍ程度の回転自在なゴムローラであるプレスローラ、あるいは版胴とほぼ同一直径の圧胴等が主に用いられている。版胴と同一周速度で回転駆動される圧胴は、版胴の外周面上に設けられたマスタクランパと対応するその外周の一部に凹部を有しており、版胴に対する接離時における移動量がプレスローラに比して小さいことにより印刷時に発生する騒音がプレスローラよりも小さく、また凹部に設けられた用紙クランパにより用紙先端を係止できるので排紙巻き上がりの防止及びレジスト精度の向上といった作用効果が得られる。この圧胴を用いた印刷装置の一例が、例えば「特許文献１」に開示されている。
【０００４】
【特許文献１】特開２０００−２３８４００号公報
【発明の開示】
【発明が解決しようとする課題】
【０００５】
上述した技術において、圧胴の外周面上に設けられた凹部の内部には、圧胴の外周面上に用紙を保持するための用紙保持機構が配設されている。この用紙保持機構は、ベース部材、ベース部材に開閉自在に支持された用紙保持部材等を有している。用紙保持部材は圧胴の一方の端板に設けられた開閉カムによって開閉され、その先端と圧胴の周面とで用紙を十分な保持力により保持する。
【０００６】
この構成により、所定の保持位置で用紙保持部材が開放された後に用紙が給送され、開閉カムの形状に沿って用紙保持部材が閉じられて圧胴の外周面上に用紙が保持される。その後、圧胴の回転によって用紙の先端が版胴との当接位置に到達すると、図示しない揺動手段によって揺動された圧胴が版胴に所定の圧接力で圧接されることにより、用紙と図示しないマスタとが接触して用紙上に画像が転写される。さらにその後、圧胴が所定の開放位置に到達すると、開閉カムの形状に沿って用紙保持部材が開放されることにより用紙の保持が解除され、用紙は排紙爪に受け渡される。
【０００７】
しかし、開放位置において排紙爪に対する用紙の受け渡しがうまくいかず、排紙爪に用紙が引っ掛かって用紙が排紙爪の近傍に留まってしまった場合には、排紙爪の用紙搬送方向下流側に設けられているセンサが用紙を検知できないことから排紙ジャムの発生が検知され、孔版印刷装置は停止動作に入る。この停止動作時において、圧胴はその回転速度が速いことからすぐに停止することができず、１回転の空回転を行った後に停止することとなる。この空回転中において、排紙爪の近傍に留まった用紙が排紙爪とベース部材の端部との間に挟まると圧胴が回転できずにロックしてしまい、その解除が面倒であるために作業効率が極端に低下してしまうという問題点がある。
【０００８】
本発明は上述した問題点を解決し、排紙ジャムの発生時においてもその解除動作を簡単に行うことが可能な圧胴を備えた印刷装置の提供を目的とする。
【課題を解決するための手段】
【０００９】
請求項１記載の発明は、版胴と、外周面に凹部を有する圧胴とを具備し、前記圧胴の外周面に保持された用紙を前記版胴に接触させることにより印刷画像を得る印刷装置であって、前記凹部に、前記用紙を保持する開閉自在な用紙保持部材と、前記用紙保持部材を開閉自在に支持するベース部材とを有する印刷装置において、前記凹部の内部であって前記ベース部材よりも前記圧胴の回転方向下流側の位置に、前記凹部の底部に向けて傾斜する傾斜部材を有することを特徴とする。
【００１０】
請求項２記載の発明は、請求項１記載の印刷装置において、さらに前記傾斜部材はその傾斜部が直線状に形成されていることを特徴とする。
【００１１】
請求項３記載の発明は、請求項１記載の印刷装置において、さらに前記傾斜部材はその傾斜部が円弧状に形成されていることを特徴とする。
【００１２】
請求項４記載の発明は、請求項１ないし３の何れか１つに記載の印刷装置において、さらに前記傾斜部材は前記ベース部材と一体的に形成されていることを特徴とする。
【発明の効果】
【００１３】
本発明によれば、ジャムした用紙は傾斜部によってベース部材の上方へと押し出され、ベース部材と排紙爪との間に用紙が噛み込んで印刷装置がロック状態となってしまうという不具合の発生を防止することができ、排紙ジャムの発生時においてもその解除動作を簡単に行うことができる。
【発明を実施するための最良の形態】
【００１４】
本発明の一実施形態を示す図１において、孔版印刷装置は版胴２２と圧胴２０とを有している。版胴２２は、図示しない支軸によって回転自在に支持されており、図示しない版胴駆動手段によって図において時計回り方向に回転駆動される。版胴２２の外周面上には、図示しないマスタを保持する図示しないマスタクランパが開閉自在に設けられており、版胴２２の内部にはインキローラ、ドクターローラ等を有する図示しないインキ供給手段が配設されている。版胴２２は、図示しない装置本体に対して、所定のホームポジションにおいて着脱自在に構成されている。
【００１５】
版胴２２とほぼ同径に形成された圧胴２０は、図示しない版胴駆動手段からの回転駆動力を図示しない駆動力伝達手段によって伝達されることで版胴２２と同期して回転駆動される。圧胴２０も版胴２２と同様に、図示しない装置本体に対して、所定のホームポジションにおいて着脱自在に構成されている。
【００１６】
圧胴２０の外周部には、版胴２２の外周面に接触する円筒部と凹部２１とが形成されており、凹部２１の内部には用紙保持装置１が配設されている。用紙保持装置１は、用紙Ｐの先端部を給紙時に係止する開閉自在な用紙保持部材としての給紙クランパ２、給紙クランパ２が排紙時に開放された際に用紙Ｐの先端部を圧胴２０の外周面から浮上させる蹴り上げ爪１０を有している。給紙クランパ２は開閉機構１９によって作動され、蹴り上げ爪１０は浮上機構２７によって作動される。
【００１７】
開閉機構１９は、図１ないし３及び図５ないし６に示すように、給紙クランパ用カム８、一端にクランパカムフォロア５を回転自在に有するクランパアーム４、ベース部材としてのクランパベース６の両側壁に所定角度回動自在に支持され、クランパアーム４の他端及び給紙クランパ２の基端が取り付けられたクランパ軸３、その自由端が後述する３つの位置を占めるべく開閉自在な給紙クランパ２、給紙クランパ２を常時開放する向きに付勢すると共にクランパカムフォロア５を常時給紙クランパ用カム８に押し付ける向きに付勢するねじりばね７等から主に構成されている。
【００１８】
給紙クランパ用カム８は、図１に示すように、合成樹脂あるいは金属によって一体成形されており、圧胴２０の端板２０ａの外側近傍における孔版印刷装置の本体側に配置された図示しない本体側板に取り付けられている。給紙クランパ用カム８には、給紙時において、クランパカムフォロア５と当接して給紙クランパ２が開放角度θ１で開くように制御するための小径凹部８ａが、版胴２２と圧胴２０とのニップ部Ｎより手前であって圧胴２０の回転方向上流側寄りの所定位置に形成されている。また給紙クランパ用カム８には、排紙時において、クランパカムフォロア５と当接して給紙クランパ２が開放角度θ２で開くように制御するための小径凹部８ｂが、ニップ部Ｎを通り過ぎた圧胴２０の回転方向下流側寄りの所定位置に形成されている。そして各小径凹部８ａ，８ｂを除く給紙クランパ用カム８には、圧胴２０の図示しない圧胴軸を中心として同一径となるように形成された均等周面部８ｃが一体形成されている。
【００１９】
小径凹部８ａは、開放角度θ１を開放角度θ２よりも大きく設定するために、その凹みの深さが小径凹部８ｂのそれよりも深く形成されている。開閉機構１９における、このような給紙クランパ２と給紙クランパ用カム８との関係により、給紙クランパ２は図１の符号（Ａ）及び図２（ａ）に示す給紙時において開放角度θ１で大きく開き、図１の符号（Ｃ）及び図２（ｃ）に示す排紙時において、用紙Ｐの先端部を開放し自由にする程度の最小限の角度である、開放角度θ１よりも小さい開放角度θ２で開くように構成されている。
【００２０】
クランパベース６は、図１ないし３及び図６等に示すようにほぼ筐体状に形成されており、例えば合成樹脂あるいはアルミニウム等の金属で一体的に形成されている。クランパベース６における用紙搬送方向Ｘの上流側端部の上部には、給紙クランパ２のクランプ部２ｃとの間で用紙Ｐの先端部を保持するときに用紙Ｐの先端部を受ける用紙受け面６ａ、及び排紙時に蹴り上げ爪アーム１２の先端が用紙浮上位置を占めるべく矩形状に切り欠かれた逃げ部６ｂが、用紙幅方向Ｙに櫛歯状となるように、それぞれ交互に複数箇所形成されている。クランパベース６の底部には、図７に示すように、引張ばね１６の一端を係止するためのばね掛け部６ｃが用紙搬送方向Ｘの下流側に突出して一体形成されており、クランパベース６の両側壁には、蹴り上げ爪１０の両側端部に突出形成された各被案内部１０ｃを緩く嵌入し、蹴り上げ爪１０を図７において用紙搬送方向Ｘに摺動自在に案内する蹴り上げ爪案内窓６ｄがそれぞれ形成されている。また、クランパベース６の両側壁の、用紙搬送方向Ｘにおける下流側端部、すなわち圧胴２０の回転方向下流側端部には、凹部２１の底部に向けて傾斜する傾斜部材としての傾斜部６ｅがそれぞれ形成されている。
【００２１】
給紙クランパ２は、自身あるいは給紙クランパ用カム８の精度上の誤差を吸収可能となるように、所定の弾性を有する薄いステンレス鋼板等の弾性部材によって形成されている。給紙クランパ２は図２及び図６に示すように、厚さ０．３〜０．５ｍｍ程度の板材を断面視がほぼＺ字形状となるように折り曲げて形成されており、所定の弾性が付与されている。給紙クランパ２には、図２、図３、図５、図６に示すように、圧胴２０よりも用紙搬送方向上流側に配設されたレジストローラ対２５ａ，２５ｂから給送される用紙Ｐの先端を突き当ててその位置決めを行うと共に所定の撓みを形成させるためのストッパ部２ａ、蹴り上げ爪１０の先端部との干渉を避けてその移動を許容するための切欠部２ｂ、用紙Ｐの先端部を保持するクランプ部２ｃがそれぞれ一体成形されている。給紙クランパ２は、その基端部をねじによってクランパ軸３に固定されている。
【００２２】
ねじりばね７は、図６に示すようにクランパ軸３に巻着されており、その一端が給紙クランパ２の裏面に、他端がクランパベース６の手前側の側壁上面にそれぞれ掛けられており、給紙クランパ２を常時開く向きに付勢している。
【００２３】
上述の構成により給紙クランパ２は、給紙時において用紙Ｐの先端部を突き当てて保持するために開放角度θ１で開く図１に符号（Ａ）で示す給紙開放位置と、用紙Ｐの先端部を保持して閉じた図１に符号（Ｂ）で示すクランプ位置と、排紙時において用紙Ｐの先端部を開放するために開放角度θ２で開く図１に符号（Ｃ）で示す用紙排出位置との３つの位置を選択的に占める。
【００２４】
浮上機構２７は、図１ないし４及び図７に示すように、蹴り上げ爪用カム１７、一端に蹴り上げ爪カムフォロア１３を回転自在に有する蹴り上げ爪アーム１２、クランパベース６の両側壁に所定角度回動自在に支持され、蹴り上げ爪アーム１２の他端が取り付けられた蹴り上げ爪軸１１、その基端が蹴り上げ爪軸１１に固定されその自由端が蹴り上げ爪１０の折り曲げ端部１０ｂと接触する所定角度回動可能な蹴り上げ爪駆動ガイド１４、その先端１０ｅが排紙時に開放した給紙クランパ２の自由端よりも用紙搬送方向Ｘの上流側に偏倚した用紙Ｐの先端部を浮上させる用紙浮上位置を占める蹴り上げ爪１０、先端１０ｅが浮上位置から圧胴２０の外周面よりも内側に没入した非浮上位置を占める向きに蹴り上げ爪１０を付勢する引張ばね１６等から主に構成されている。
【００２５】
蹴り上げ爪用カム１７は、図１及び図４に示すように、合成樹脂あるいは金属によって一体形成されており、圧胴２０の近傍であって端板２０ａと給紙クランパ用カム８との間の位置において、上記本体側板に固定されている。蹴り上げ爪用カム１７には、蹴り上げ爪カムフォロア１３と排紙時においてのみ接触し、かつ排紙時に開放した給紙クランパ２の自由端よりも用紙搬送方向Ｘの上流側に偏倚した用紙Ｐの先端部を蹴り上げて浮上させるべく制御するための、山形状の大径凸部１７ａが形成されている。大径凸部１７ａは、小径凹部８ｂの配置部近傍であって圧胴２０の回転方向上流側寄りに形成されている。
【００２６】
蹴り上げ爪駆動ガイド１４は複数設けられており、図７にその一部を示すように、全てが同じ姿勢となるように蹴り上げ爪軸１１にその基端をねじによってそれぞれ固定されている。各蹴り上げ爪駆動ガイド１４の自由端部は、蹴り上げ爪１０の折り曲げ端部１０ｂに引張ばね１６の付勢力によって常時接触しており、蹴り上げ爪カムフォロア１３から蹴り上げ爪軸１１へと伝達された回転駆動力により、蹴り上げ爪１０の全体を移動させるべく動作する。
【００２７】
蹴り上げ爪１０は、図２及び図７に示すように断面視ほぼ平板状をなした厚さ０．８〜１．０ｍｍ程度のステンレス鋼板により構成されており、先端１０ｅを含む先端部及び基端部が各被案内部１０ｃを介して各蹴り上げ爪窓部６ｄの形成範囲内で移動可能に構成されている。蹴り上げ爪１０には、図２、図３及び図７に示すように、移動時において給紙クランパ２及び圧胴２０よりも用紙搬送方向Ｘの下流側に配設された排紙爪４４との干渉を避けるための複数の切欠１０ａ、折り曲げ端部１０ｂ、被案内部１０ｃ、引張ばね１６の他端が係合されるばね掛け部１０ｄ、先端１０ｅが一体形成されている。蹴り上げ爪１０の先端１０ｅを含む先端部は、各先端１０ｅが逃げ部６ｂに対して挿通可能となるように、ほぼ櫛歯状に形成されている。蹴り上げ爪１０の用紙幅方向Ｙへの移動は、各被案内部１０ｃ上にそれぞれ設けられたストッパ１８によって規制されている。
【００２８】
引張ばね１６は、一端がばね掛け部６ｃに係止されていて他端がばね掛け部１０ｄに係止されている。引張ばね１６は、用紙幅方向Ｙにおける蹴り上げ爪１０の中央を中心として左右対称となるように２個配設されている。図７にはその一方のみを示している。
【００２９】
上述の構成により蹴り上げ爪１０は、排紙時において開放した給紙クランパ２の自由端よりも用紙搬送方向Ｘの上流側に偏倚した用紙Ｐの先端部を浮上させるように構成されており、用紙浮上位置と非用紙浮上位置との間で移動自在に構成されている。
【００３０】
上述の構成に基づき、以下に動作を説明する。  
この孔版印刷装置では、図示しない給紙部に配設された、ステッピングモータからなる図示しない給紙モータにより回転駆動される給紙ローラ等の給紙手段を有しており、端板２０ａに取り付けられた図示しない給紙遮光片と圧胴２０を回転自在に支持する図示しないアームに取り付けられた透過型の給紙フォトセンサとの係合時点をトリガとして、上記給紙モータの起動が制御される。また、ステッピングモータからなる図示しないレジストモータにより回転駆動されるレジストローラ対２５ａ，２５ｂが、端板２０ａに取り付けられた図示しないレジスト遮光片と圧胴２０を回転自在に支持する図示しないアームに取り付けられた透過型のレジストフォトセンサとの係合時点をトリガとして、上記レジストモータの起動が制御される。
【００３１】
図１において、圧胴２０が反時計回り方向に回転して上記給紙遮光片が上記給紙フォトセンサを通過すると、上記給紙モータが回転駆動され図示しない給紙部より１枚の用紙Ｐが給送される。このとき、クランパカムフォロア５が均等周面部８ｃに接触していることにより、給紙クランパ２は用紙Ｐの先端部を保持していない状態で用紙クランプ位置を占めた状態にある。またこのときには、蹴り上げ爪カムフォロア１３が蹴り上げ爪用カム１７と非接触状態にあることにより、図７に示すように、各引張ばね１６の付勢力によって各蹴り上げ爪駆動ガイド１４及び蹴り上げ爪カムフォロア１３が図１の符号（Ａ）及び符号（Ｂ）、及び図７に示す状態にそれぞれ保持されており、各引張ばね１６の付勢力によって蹴り上げ爪１０は非用紙浮上位置を占めた状態にある。
【００３２】
一方、給送された１枚の用紙Ｐは、その先端がレジストローラ対２５ａ，２５ｂのニップ部に衝突した後、さらに上記給紙モータにより搬送される。そして、用紙Ｐに所定量の撓みが形成された時点で上記給紙ローラの作動が停止される。圧胴２０が図１においてさらに反時計回り方向に回転し、上記レジスト遮光片が所定タイミングで上記レジストフォトセンサを通過すると、上記レジストモータが回転駆動される。
【００３３】
この給紙時のタイミングに合わせて、クランパカムフォロア５が小径凹部８ａに所定のタイミングで接触することにより、図１の符号（Ａ）及び図６において、クランパアーム４と共にクランパ軸３が反時計回り方向に回転し、これにより給紙クランパ２が図１の符号（Ａ）及び図２（ａ）に示すように開放角度θ１で大きく開き、給紙クランパ２が給紙開放位置を占める。このときには、給紙クランパ２が開放角度θ１で開く向きにねじりばね７の付勢力が働いている。
【００３４】
上記レジストモータの回転駆動により、レジストローラ対２５ａ，２５ｂが回転することで、用紙Ｐの先端が給紙開放位置を占めている給紙クランパ２のストッパ部２ａに向けて給送され、ストッパ部２ａに突き当たって停止する。こうして図１の符号（Ａ）に二点鎖線で示すように、用紙Ｐの先端部には所定の撓みが形成される。
【００３５】
圧胴２０がさらに反時計回り方向に回転し、クランパカムフォロア５が小径凹部８ａを通り過ぎて均等周面部８ｃに所定のタイミングで接触すると、図６においてクランパアーム４と共にクランパ軸３がねじりばね７の付勢力に抗して時計回り方向に回転し、これにより図２（ｂ）に示すように、給紙クランパ２が用紙Ｐの先端部を確実に保持した後に閉じられる。このように給紙クランパ２が用紙クランプ位置を占めた図１に符号（Ｂ）で示す状態で圧胴２０が用紙Ｐをその外周面上に保持したまま回転し、用紙Ｐの先端部が版胴２２と圧胴２０との接触部に向けて搬送される。
【００３６】
搬送される用紙Ｐに対して図示しない接離手段により圧胴２０が揺動されることによりニップ部Ｎが形成され、用紙Ｐと製版済みマスタ２３（図４参照）とが所定の押圧力によって押圧される。この押圧により、図示しないインキ供給手段から版胴２２の内周面に供給されたインキが版胴２２の開孔部、製版済みマスタ２３の穿孔部を介して用紙Ｐに転写され、孔版印刷が行われる。
【００３７】
圧胴２０がさらに反時計回り方向に回転し、排紙爪４４の手前に位置する用紙排出位置近傍に至ると、蹴り上げ爪カムフォロア１３が蹴り上げ爪用カム１７と接触し始めることにより、図１の符号（Ｃ）、図２（ｃ）、及び図４に示すように、蹴り上げ爪アーム１２と共に蹴り上げ爪軸１１が各引張ばね１６の付勢力に抗して反時計回り方向に回転し、各蹴り上げ爪駆動ガイド１４の自由端が折り曲げ端部１０ｂを反時計回り方向に揺動しつつ押し付ける。これにより先端１０ｅが各逃げ部６ｂを通過して蹴り上げ爪１０が用紙浮上位置を占める。
【００３８】
一方、蹴り上げ爪１０が用紙浮上位置に至る動作とほぼ同時に、給紙クランパ２の開放動作が行われる。圧胴２０が反時計回り方向に回転して用紙排出位置近傍に至ると、クランパカムフォロア５が均等周面部８ｃから小径凹部８ｂに所定のタイミングで接触することにより、図１の符号（Ｃ）、図２（ｃ）、図４及び図６においてクランパアーム４と共にクランパ軸３が反時計回り方向に回転し、給紙クランパ２が図１の符号（Ｃ）及び図２（ｃ）に示すように開放角度θ２で小さく開き、給紙クランパ２は用紙排出位置を占める。
【００３９】
印刷された用紙Ｐは排紙爪４４により剥離・案内され、排紙爪４４よりも用紙搬送方向Ｘの下流側に配設された図示しない排紙搬送装置によってさらに下流側へと搬送され、図示しない排紙トレイ上に排出積載される。この一連の動作によって製版済みマスタ２３にインキを充填する版付けが行われ、その後、版胴２２と圧胴２０とが離間して初期状態に復帰することで孔版印刷装置は印刷待機状態となる。版付け終了後、オペレータは排出された印刷物を目視により確認し、画像品質及び画像位置の確認を行う。そして、これらを調整した後に印刷枚数を設定し、図示しない操作パネル上の印刷スタートキーを押下することにより、給紙部より用紙Ｐが連続的に給送されて版付け動作時と同様に印刷動作が行われる。
【００４０】
上述した印刷動作時において、図１に符号（Ｃ）で示す用紙排出位置において、用紙Ｐとして非常に薄く腰の弱いものが用いられていた場合あるいは用紙Ｐの先端部に下向きの湾曲特性があった場合等においては、用紙Ｐの排紙爪４４への受け渡しがうまくいかず、排紙ジャムが発生することとなる。この排紙ジャムの発生は、排紙爪４４の用紙搬送方向Ｘの下流側に配設された図示しない用紙検知センサが所定時間内に用紙Ｐを検知しないことによって検出され、排紙ジャムが発生すると孔版印刷装置の動作を制御する図示しない制御手段は、版胴２２及び圧胴２０を回転駆動する駆動手段に対して停止指令を送って装置を緊急停止させる。
【００４１】
しかし、孔版印刷装置における印刷速度は他の画像形成装置に比して速く、排紙ジャムを検知してすぐに緊急停止を掛けても駆動手段を停止させることが困難であるため、版胴２２及び圧胴２０は１回転の空回転を行った後に停止することとなる。この空回転時において、上述した特開２０００−２３８４００号公報に開示された技術ではクランパベース６に傾斜部６ｅが設けられていないために図８に示すような状態（図ではクランパベース６のみを模式的に表している）となり、このまま圧胴２０が反時計回り方向に回転するとジャムした用紙Ｐがクランパベース６と排紙爪４４との間に噛み込んでしまう。
【００４２】
この噛み込みが発生すると、版胴２２及び圧胴２０を回転駆動する図示しない駆動手段が過負荷によって緊急停止し、いわゆるロックした状態となって停止する。孔版印刷装置がロック状態で停止すると、版胴２２及び圧胴２０は初期位置であり基準位置であるホームポジションとは異なった位置で停止することとなる。噛み込んだ用紙Ｐの除去は、版胴２２及び圧胴２０を装置本体から取り外して行われるが、版胴２２及び圧胴２０は上述したようにホームポジションでのみ装置本体からの離脱が可能に構成されているため、ロックした状態から手動で版胴２２及び圧胴２０をホームポジションまで回転させる必要が生じ、この作業が非常に面倒であり、ユーザでは対処することができずにメーカのサービスマンを呼ぶ必要が生じ、作業効率に多大な影響を与えてしまう。
【００４３】
本発明では、クランパベース６に傾斜部６ｅが設けられているために図９に示すような状態（図ではクランパベース６のみを模式的に表している）となり、このまま圧胴２０が反時計回り方向に回転してもジャムした用紙Ｐは傾斜部６ｅによってクランパベース６の上方へと押し出され、クランパベース６と排紙爪４４との間に用紙Ｐが噛み込んで孔版印刷装置がロック状態となってしまうという不具合の発生を防止することができ、排紙ジャムの発生時においてもその解除動作を簡単に行うことができる。
【００４４】
上述した実施形態では、クランパベース６に傾斜部材としての傾斜部６ｅを一体的に設ける構成としたが、これに代えて図１０に示すように、クランパベース６とは別体の、傾斜部９ａを有する傾斜部材９を凹部２１内に取り付ける構成としてもよい。傾斜部材９は、図１０に示すようにクランパベース６に密着して配設されていても、図１１に示すように離隔して配置されていてもよい。
【００４５】
さらに上記実施形態では、傾斜部６ｅとして凹部２１の底面に向かって直線状に形成されたものを示したが、これに代えて、図１２に示すように圧胴回転方向下流側に向けて凸となった円弧状に形成された傾斜部６ｆ、あるいは図１３に示すように圧胴回転方向下流側に向けて凹となった円弧状に形成された傾斜部６ｇを採用してもよい。この場合においても上述と同様に、各傾斜部６ｆ，６ｇをクランパベース６とは別体に構成してもよい。
【００４６】
上記実施形態及び変形例では、印刷装置として孔版印刷装置を用いた例を示したが、本発明の適用範囲はこれに限られず、その外周面上に用紙を保持する圧胴を用いる印刷装置であれば、オフセット印刷装置等の他の印刷装置にも適用可能である。
【図面の簡単な説明】
【００４７】
【図１】本発明の一実施形態を採用した孔版印刷装置の圧胴要部の概略正面図である。
【図２】本発明の一実施形態に用いられる給紙クランパ及び蹴り上げ爪の動作を説明する概略図である。
【図３】本発明の一実施形態に用いられる給紙クランパ及び蹴り上げ爪及びベース部材の構成を説明する概略図である。
【図４】本発明の一実施形態における用紙排出位置での給紙クランパ及び蹴り上げ爪の状態を説明する概略図である。
【図５】本発明の一実施形態に用いられる給紙クランパを説明する概略図である。
【図６】本発明の一実施形態に用いられる開閉機構を説明するための概略斜視図である。
【図７】本発明の一実施形態に用いられる浮上機構を説明するための概略斜視図である。
【図８】従来の印刷装置における問題点を説明するための概略図である。
【図９】本発明の一実施形態における用紙排出ジャム発生時での用紙の挙動を説明するための概略図である。
【図１０】本発明の一実施形態の変形例に用いられる傾斜部材を説明する概略図である。
【図１１】本発明の一実施形態の変形例に用いられる傾斜部材を説明する概略図である。
【図１２】本発明の一実施形態の変形例に用いられる傾斜部材を説明する概略図である。
【図１３】本発明の一実施形態の変形例に用いられる傾斜部材を説明する概略図である。
【符号の説明】
【００４８】
２  用紙保持部材（給紙クランパ）
６  ベース部材（クランパベース）
６ｅ，６ｆ，６ｇ  傾斜部材（傾斜部）
９  傾斜部材
９ａ  傾斜部
２０  圧胴
２１  凹部
２２  版胴
Ｐ  用紙
【図１】
2006124071.tif 000003
【図２】
2006124071.tif 000004
【図３】
2006124071.tif 000005
【図４】
2006124071.tif 000006
【図５】
2006124071.tif 000007
【図６】
2006124071.tif 000008
【図７】
2006124071.tif 000009
【図８】
2006124071.tif 000010
【図９】
2006124071.tif 000011
【図１０】
2006124071.tif 000012
【図１１】
2006124071.tif 000013
【図１２】
2006124071.tif 000014
【図１３】
2006124071.tif 000015